(57)【要約】【課題】  映像表示装置において、ユーザの視聴環境により近づいた画質調整を行なえるようにすることが課題になっていた。【解決手段】  実施形態の電子機器は、第1の画像が表示された映像表示装置を撮像し、撮像画像を出力する撮像部を備える。  また、前記出力された撮像画像の前記第1の画像を用い、カメラキャリブレーションを行なうキャリブレーション部を備える。  また、前記キャリブレーション結果と前記撮像画像を用い、前記映像表示装置の画質調整に用いられる情報を算出する算出部を備える。  また、前記算出された画質調整情報を前記映像表示装置に向けて出力する出力部を備える。【選択図】  図１
2013243621.tif 000002
【特許請求の範囲】
【請求項１】
第1の画像が表示された映像表示装置を撮像し、撮像画像を出力する撮像部と、
前記出力された撮像画像の前記第1の画像を用い、カメラキャリブレーションを行なうキャリブレーション部と、
前記キャリブレーション結果と前記撮像画像を用い、前記映像表示装置の画質調整に用いられる情報を算出する算出部と、
前記算出された画質調整情報を前記映像表示装置に向けて出力する出力部を備える電子機器。
【請求項２】
前記第1の画像の表示を前記映像表示装置に向けて指示する指示部を備える請求項１に記載の電子機器。
【請求項３】
前記第1の画像が表示された映像表示装置の撮像のプレビューが可能な表示部を備える請求項１または請求項２に記載の電子機器。
【請求項４】
前記撮像部は前記表示部の裏面に設けられる請求項１乃至請求項３のいずれかに記載の電子機器。
【請求項５】
前記第1の画像はテスト画像である請求項１乃至請求項４のいずれかに記載の電子機器。
【請求項６】
前記請求項１乃至請求項５のいずれかに記載の電子機器から出力された前記画質調整情報を受信し、画質調整を行なう前記映像表示装置。
【請求項７】
第1の画像が表示された映像表示装置を撮像し、撮像画像を出力するステップと、
前記出力された撮像画像の前記第1の画像を用い、カメラキャリブレーションを行なうステップと、
前記キャリブレーション結果と前記撮像画像を用い、前記映像表示装置の画質調整に用いられる情報を算出するステップと、
前記算出された画質調整情報を前記映像表示装置に向けて出力するステップを備える電子機器の制御方法。
【請求項８】
第1の画像が表示された映像表示装置を撮像し、撮像画像を出力するステップと、
前記出力された撮像画像の前記第1の画像を用い、カメラキャリブレーションを行なうステップと、
前記キャリブレーション結果と前記撮像画像を用い、前記映像表示装置の画質調整に用いられる情報を算出するステップと、
前記算出された画質調整情報を前記映像表示装置に向けて出力するステップを備え、電子機器を制御する電子機器の制御プログラム。
【発明の詳細な説明】
【技術分野】
【０００１】
本発明の実施形態は、電子機器、電子機器の制御方法、電子機器の制御プログラム、映像表示装置に関する。
【背景技術】
【０００２】
近年、デジタル放送の普及に伴い、デジタル放送を受信し映像を表示する、テレビや携帯型機器等の映像表示装置が普及している。
【０００３】
これらの映像表示装置においては、映像表示画面に表示される映像の画質をさらに向上させることが望まれている。
【０００４】
そして、近年、例えば、センサ等を備え、表示画像の画質を、自動的に、調整（画質調整）することが可能な映像表示装置が提供されている。
【０００５】
しかし、これらの映像表示装置においては、例えば、センサ等を映像表示装置に構成する制約があり、ユーザの視聴環境を考慮した画質調整を行なうという点でさらなる改善が望まれていた。
【０００６】
このため、映像表示装置において、ユーザの視聴環境により近づいた画質調整を行なえるようにすることが課題になっていた。
【先行技術文献】
【特許文献】
【０００７】
【特許文献１】特開２００９−８８６２６号公報
【特許文献２】特開２００７−８１６８５号公報
【発明の概要】
【発明が解決しようとする課題】
【０００８】
映像表示装置において、ユーザの視聴環境により近づいた画質調整を行なえるようにすることが課題になっていた。
【課題を解決するための手段】
【０００９】
実施形態の電子機器は、第1の画像が表示された映像表示装置を撮像し、撮像画像を出力する撮像部を備える。
【００１０】
また、前記出力された撮像画像の前記第1の画像を用い、カメラキャリブレーションを行なうキャリブレーション部を備える。
【００１１】
また、前記キャリブレーション結果と前記撮像画像を用い、前記映像表示装置の画質調整に用いられる情報を算出する算出部を備える。
【００１２】
また、前記算出された画質調整情報を前記映像表示装置に向けて出力する出力部を備える。
【図面の簡単な説明】
【００１３】
【図１】実施形態に係わる電子機器（タブレットＰＣ）と映像表示装置（ＴＶ）の外観を示す図。
【図２】実施形態に係わる電子機器（タブレットＰＣ）の構成の一例を示すブロック図。
【図３】実施形態に係わる映像表示装置（ＴＶ）の構成の一例を示すブロック図。
【図４】実施形態に係わる実施形態に係わる電子機器（タブレットＰＣ）と映像表示装置（ＴＶ）の構成の一例を示すブロック図。
【図５】実施形態に係わる電子機器（タブレットＰＣ）の動作を説明するフローチャート。
【図６】実施形態に係わる映像表示装置（ＴＶ）の動作を説明するフローチャート。
【発明を実施するための形態】
【００１４】
以下、図面を参照し、実施の形態を説明する。
【００１５】
図１は、実施形態に係わる電子機器（タブレットＰＣ）と映像表示装置（ＴＶ）の外観を示す図である。
【００１６】
図１に示すように、この実施形態においては、電子機器（タブレットＰＣ）１００と映像表示装置（ＴＶ）２００は、例えば、Ｗｉ−ＬＡＮ等の無線で接続され、相互に通信可能に構成されている。
【００１７】
なお、電子機器（タブレットＰＣ）１００と映像表示装置（ＴＶ）２００の接続は、無線に限られることはなく、例えば、有線等、相互に通信可能に構成されていれば良い。
【００１８】
また、電子機器（タブレットＰＣ）１００は、タブレットＰＣの他に、スマートフォンや携帯電話等の携帯型端末で構成することが可能である。
【００１９】
また、映像表示装置（ＴＶ）２００は、ＴＶの他に、タブレットＰＣやスマートフォン、携帯電話等の映像表示装置で構成することが可能である。
【００２０】
そして、ここでは、例えば、ユーザが電子機器（タブレットＰＣ）１００を操作し、電子機器（タブレットＰＣ）１００から映像表示装置（ＴＶ）２００に第1の画像（例えば、テスト画像３００）を表示するように指示する。
【００２１】
この第1の画像（テスト画像３００）は、映像表示装置（ＴＶ）２００に記憶するように構成しても良いし、複数の映像表示装置に対応できるように、電子機器（タブレットＰＣ）１００に複数の第1の画像（テスト画像）を記憶するように構成しても良い。
【００２２】
あるいは、複数の映像表示装置に対応できるように、クラウドサーバ２７に複数の第1の画像（テスト画像）を記憶するように構成しても良い。
【００２３】
そして、ユーザは、例えば、電子機器（タブレットＰＣ）１００の撮像部３０を用い、第1の画像（例えば、テスト画像３００）が表示された映像表示装置（ＴＶ）２００を、例えば、背景と共に撮像（撮影）し、撮像画像を出力する。
【００２４】
また、電子機器（タブレットＰＣ）１００は、出力された上記撮像画像の上記第1の画像（例えば、テスト画像３００）を用い、カメラキャリブレーションを行なう。
【００２５】
なお、例えば、映像表示装置（ＴＶ）２００のモデル名やインチ数など、キャリブレーションをより高精度に行なうための情報を調整対象の映像表示装置（ＴＶ）２００から取得し、利用するように構成しても良い。
【００２６】
そして、このキャリブレーション結果と上記撮像画像を用い、上記映像表示装置（ＴＶ）２００の画質調整に用いられる情報を算出する。
【００２７】
また、電子機器（タブレットＰＣ）１００は、上記算出された画質調整情報を上記映像表示装置（ＴＶ）２００に向けて出力する。
【００２８】
そして、映像表示装置（ＴＶ）２００は、上記算出された画質調整情報を受信し、この画質調整情報を用いて、映像表示装置（ＴＶ）２００の画質調整を行なう。
【００２９】
ここで、カメラキャリブレーションの説明をする。
【００３０】
例えば、上記のように、撮像部（ウェブカメラ等）３０を介して撮影された映像（撮像画像）は、カメラ３０のレンズ歪みや焦点距離等によって歪みが生じやすい。
【００３１】
そこで、例えば、カメラ３０の特性(レンズ歪み、焦点距離等)を事前に求めておき、例えば、マーカーの位置、姿勢を求める計算式に適応することでより正確に、指定した位置に表示されるようになる。
【００３２】
ここでは、このカメラ特性を求める動作をカメラキャリブレーションと呼ぶ。
【００３３】
また、ここで、映像表示装置における、画質調整の説明をする。
【００３４】
一般に、映像表示装置が置かれている状況は様々である。例えば、部屋の明るさの程度や、映像表示装置に照明光が当たるか（直接当たる、間接的に当たる）、外光が当たるか等、様々な状況がある。
【００３５】
このため、状況に応じた画質調整が行なわれることが望ましい。
【００３６】
例えば、画質調整には、ブライトネス、すなわち、「明るさ」調整がある。
【００３７】
また、画質調整には、「コントラスト」を調整がある。「コントラスト」調整は、例えば、明暗の輝度差を調整する。
【００３８】
また、例えば、映像表示装置が、液晶テレビの場合は、バックライトの輝度が調整される。バックライト調整は、例えば、白と黒のバランスが調整される。
【００３９】
また、画質調整では、場合により、「色温度」や、色の濃さを調整することも可能である。
【００４０】
この実施形態においては、上記のように、キャリブレーション結果と撮像画像を用い、映像表示装置２００の画質調整に用いられる情報（画質調整情報）が算出される。
【００４１】
また、この算出された画質調整情報は、映像表示装置２００に向けて出力される。
【００４２】
なお、この実施形態に係る電子機器（タブレットＰＣ）１００は、例えば、インターネット２６を介してクラウドサーバ２７等に接続されており、例えば、上記電子機器（タブレットＰＣ）１００で取得された撮像画像をクラウドサーバ２７等に送信し、上記電子機器（タブレットＰＣ）１００で行なわれるカメラキャリブレーションや、キャリブレーション結果と上記撮像画像を用いる画質調整情報の算出処理の一部または全部を、例えば、クラウドサーバ２７等で行なうように構成することも可能である。
【００４３】
ここでも同様に、映像表示装置（ＴＶ）２００は、上記算出された画質調整情報を受信し、この画質調整情報を用いて、映像表示装置（ＴＶ）２００の画質調整を行なう。
【００４４】
図２は、実施形態に係わる電子機器（タブレットＰＣ）の構成の一例を示すブロック図である。
【００４５】
この実施形態においては、例えば、電子機器（タブレットＰＣ）１００は、ＣＰＵ（ｃｅｎｔｒａｌ  ｐｒｏｃｅｓｓｉｎｇ  ｕｎｉｔ）１０１、ノースブリッジ１０２、主メモリ１０３、サウスブリッジ１０４、ＧＰＵ（Ｇｒａｐｈｉｃｓ  Ｐｒｏｃｅｓｓｉｎｇ  Ｕｎｉｔ）１０５、ＶＲＡＭ（ビデオＲＡＭ：ｒａｎｄｏｍ  ａｃｃｅｓｓ  ｍｅｍｏｒｙ）１０５Ａ、サウンドコントローラ１０６、ＢＩＯＳ−ＲＯＭ（ｂａｓｉｃ  ｉｎｐｕｔ／ｏｕｔｐｕｔ  ｓｙｓｔｅｍ−ｒｅａｄ  ｏｎｌｙ  ｍｅｍｏｒｙ）１０７、ＬＡＮ（ｌｏｃａｌ  ａｒｅａ  ｎｅｔｗｏｒｋ）コントローラ１０８を備えている。
【００４６】
また、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）１１４等を備えている。
【００４７】
ＣＰＵ１０１は、電子機器（タブレットＰＣ）１００内の各部の動作を制御するプロセッサである。
【００４８】
ＣＰＵ１０１は、ＢＩＯＳ−ＲＯＭ１０７に格納されたＢＩＯＳを実行する。ＢＩＯＳは、ハードウェア制御のためのプログラムである。
【００４９】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、ＰＣＩ  ＥＸＰＲＥＳＳ規格のシリアルバスなどを介してＧＰＵ１０５との通信を実行する機能も有している。
【００５０】
ＧＰＵ１０５は、電子機器（タブレットＰＣ）１００のディスプレイモニタとして使用される映像表示部（ＬＣＤ）２１７を制御する表示コントローラである。
【００５１】
このＧＰＵ１０５によって生成される表示信号は映像表示部（ＬＣＤ）２１７に送られる。また、ＧＰＵ１０５は、ＨＤＭＩ制御回路３およびＨＤＭＩ端子２を介して、外部ディスプレイ１にデジタル映像信号を送出することもできる。
【００５２】
ＨＤＭＩ端子２は、前述の外部ディスプレイ接続端子である。ＨＤＭＩ端子２は、非圧縮のデジタル映像信号とデジタルオーディオ信号とを１本のケーブルで映像表示装置のような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００５３】
サウスブリッジ１０４は、ＰＣＩ（Ｐｅｒｉｐｈｅｒａｌ  Ｃｏｍｐｏｎｅｎｔ  Ｉｎｔｅｒｃｏｎｎｅｃｔ）バス上の各デバイス及びＬＰＣ（Ｌｏｗ  Ｐｉｎ  Ｃｏｕｎｔ）バス上の各デバイスを制御する。また、サウスブリッジ１０４は、ＨＤＤ１０９及びＯＤＤ１１０を制御するためのＩＤＥ（Ｉｎｔｅｇｒａｔｅｄ  Ｄｒｉｖｅ  Ｅｌｅｃｔｒｏｎｉｃｓ）コントローラを内蔵している。
【００５４】
さらに、サウスブリッジ１０４は、サウンドコントローラ１０６との通信を実行する機能も有している。
【００５５】
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばＩＥＥＥ８０２．３規格の有線通信を実行する有線通信デバイスであり、一方、無線ＬＡＮコントローラ１１２は、例えばＩＥＥＥ８０２．１１ｇ規格の無線通信を実行する無線通信デバイスである。ＵＳＢコントローラ１１１Ａは、（ＵＳＢコネクタ１９を介して接続される）例えばＵＳＢ２．０規格に対応した外部機器との通信を実行する。
【００５６】
例えば、ＵＳＢコントローラ１１１Ａは、例えば、デジタルカメラに格納されている画像データファイルを受信するために使用される。カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００５７】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器（タブレットＰＣ）１００を電源オン／電源オフする機能を有している。
【００５８】
この実施の形態における表示制御は、例えばＣＰＵ１０１が主メモリ１０３やＨＤＤ１０９等に記録されたプログラムを実行させることにより行われる。
【００５９】
なお、上記説明は一例であり、この実施形態に係る電子機器は、上記構成とは異なるハードウェアで構成することも可能である。
【００６０】
図３は、実施形態に係わる映像表示装置（ＴＶ）の構成の一例を示すブロック図である。
【００６１】
この実施形態においては、制御部１１はＣＰＵ（１２）を備えている。ＣＰＵ（１２）は映像表示装置（テレビ）２００を制御する。
【００６２】
また、ＲＡＭ（１３）、ＲＯＭ（１４）、フラッシュメモリ１５は、例えば、制御部１１で行われる処理に利用される。
【００６３】
また、フラッシュメモリ１５は、このシステムに設定される機器の情報や予め設定されるユーザの情報を記憶することも可能である。
【００６４】
そして、例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００６５】
信号処理部４で受信されたデジタル信号の映像コンテンツは信号処理が施され、音声処理部６および映像処理部５に送信される。
【００６６】
音声処理部６は、信号処理が施された映像コンテンツを受信し、音声処理を施した信号をスピーカ９に送信する。
【００６７】
スピーカ９は、音声処理が施された信号を受信し、音声を出力する。
【００６８】
また、映像処理部５は、信号処理が施された映像コンテンツを受信し、映像処理を施した信号を表示装置７に送信する。
【００６９】
表示装置７は、映像処理が施された信号を受信し、ＬＣＤパネル等で構成される表示画面（映像表示部）８に映像を表示する。
【００７０】
また、この実施の形態においては、映像表示装置（テレビ）２００は内部記憶装置１７を備えている。この内部記憶装置１７は、受信した放送番組を録画し、再生することが可能である。
【００７１】
また、この実施の形態においては、映像表示装置（テレビ）２００は、上記のようにＵＳＢ接続やＬＡＮ接続される外部記憶機器１９を備えている。上記受信された映像コンテンツはこの外部記憶機器１９に記録することも可能である。
【００７２】
また、上記のように、映像表示装置（テレビ）２００に対するユーザの操作は、例えばリモコン（リモートコントローラ）２１等の操作機器によって指示される。
【００７３】
これらの処理は、上記のように、制御部１１に制御される。
【００７４】
図４は、実施形態に係わる実施形態に係わる電子機器（タブレットＰＣ）と映像表示装置（ＴＶ）の構成の一例を示すブロック図である。
【００７５】
例えば、上記図１を用いて説明したように、この実施形態においては、電子機器（タブレットＰＣ）１００と映像表示装置（ＴＶ）２００は、例えば、Ｗｉ−ＬＡＮ等の無線で接続され、相互に通信可能に構成されている。
【００７６】
そして、ここでは、電子機器（タブレットＰＣ）１００は、例えば、画質調整指示手段１０１、動作状態取得要求手段１０２、テスト画像提示要求手段１０５、画像配信手段１０６、テスト画像記憶手段１０７、撮影プレビュー提示手段１０９、動作状態変更要求手段１０４、撮像手段（カメラ）３０、画質調整情報算出手段１１０、画質調整要求手段１１１、機器間通信手段１１２を備えている。
【００７７】
また、映像表示装置（ＴＶ）２００は、動作状態取得手段２０２、動作状態管理手段
２０３、動作状態変更手段２０４、機器間通信手段２０１、画質調整手段２０６、画像提示手段２０７、画像受信手段２０５を備えている。
【００７８】
そして、ここでは、電子機器（タブレットＰＣ）１００の機器間通信手段１１２と映像表示装置（ＴＶ）２００の機器間通信手段２０１が、例えば、Ｗｉ−ＬＡＮ等の無線で接続され、相互に通信可能に構成されている。
【００７９】
図５は、実施形態に係わる電子機器（タブレットＰＣ）の動作を説明するフローチャートである。
【００８０】
ステップＳ１００は、ここでの開始ステップである。続いて、ステップＳ１０１に進む。
【００８１】
ステップＳ１０１は、電子機器（タブレットＰＣ）１００が映像表示装置２００に対し、映像表示装置２００の動作状態の情報（例えば、映像表示装置２００は、電子機器（タブレットＰＣ）からの指示を受信し、画質調整を実行できる状態か等）を取得要求し、取得するステップである。
【００８２】
ここでは、電子機器（タブレットＰＣ）１００は、予め、例えば、映像表示装置２００の機器ＩＤを取得し、予め特定された、固有の映像表示装置２００と通信を行なう。続いて、ステップＳ１０２に進む。
【００８３】
ステップＳ１０２は、電子機器（タブレットＰＣ）１００は、上記取得した映像表示装置２００の動作状態の情報を用い、映像表示装置２００の画質調整が可能かを判別するステップである。映像表示装置２００の画質調整が可能であると判別される場合は、ステップＳ１０３に進む（Ｙｅｓ）。映像表示装置２００の画質調整が可能ではないと判別される場合は、ステップＳ１１１に進む（Ｎｏ）。
【００８４】
ステップＳ１０３は、映像表示装置２００に、第1の画像（テスト画像）３００の表示設定を指示するステップである。続いて、ステップＳ１０４に進む。
【００８５】
ステップＳ１０４は、映像表示装置２００に、第1の画像（テスト画像）３００の表示を指示するステップである。続いて、ステップＳ１０５に進む。
【００８６】
ステップＳ１０５は、例えば、ユーザ操作により、電子機器（タブレット）１００の撮像部３０を用いた撮像のプレビューを開始するステップである。続いて、ステップＳ１０６に進む。
【００８７】
ステップＳ１０６は、第1の画像（テスト画像）３００が表示された映像表示装置２００の表示画面１７と背景を、撮像出力するステップである。ここでは、例えば、ユーザの視聴環境と同様の状態で、背景を含むＴＶ画面を撮影することが望ましい。
【００８８】
また、電子機器（タブレット）１００上の撮影画面において、映像表示装置（テレビ）２００から取得したインチ数情報と、最適な視聴距離（視聴者から映像表示装置（テレビ）２００までの距離）あるいは、ユーザに入力された実際の視聴距離の情報から、ガイドを重畳させて表示しながら撮影することで、最適な量の背景が含まれた撮影を行なうことが可能である。続いて、ステップＳ１０７に進む。
【００８９】
ステップＳ１０７は、上記撮影画像中のＴＶ画面１７内に表示されていた、第1の画像（テスト画像）３００を用い、カメラキャリブレーションを行なうステップである。続いて、ステップＳ１０８に進む。
【００９０】
ステップＳ１０８は、上記カメラキャリブレーション結果と上記撮影画像を用い、映像表示装置２００の画質調整情報を算出し、出力するステップである。ここでの処理は、例えば、画質調整情報算出手段１１０で行なわれる。
【００９１】
また、ステップS１０８において、撮影条件が悪く、撮影画像から十分な画質調整情報が算出できない場合は、特に図示しないが、再度撮影し直すことが望ましい。
【００９２】
例えば、暗い部屋の場合は、カメラ側の撮影時の明るさ自動調整によって、撮影画像を明るく補正されてしまうと、撮影したテスト画像が白飛びしてしまい、テスト画像として利用できない場合がある。
【００９３】
その場合、例えば、電子機器（タブレット）１００側で、画像が明るすぎることを検出して、条件を変えて撮影をし直すように自動で行うようにしても良い。
【００９４】
条件としては、例えば、明るさの異なるテスト画像を用意しておいて、最初は標準の明るさのテスト画像を表示して撮影し、撮影画像が明るすぎる場合は、標準よりも暗いテスト画像を表示して、再度撮影するようにしても良い。あるいは、バックライトの明るさを調整するようにしても良い。
【００９５】
また、上記動作を実施する場合には、ユーザが、カメラ３０が構成された電子機器（タブレット）１００を構えて撮影操作を行ったら、最適な撮影画像が得られるまで、電子機器（タブレット）１００側が自動で撮影、条件調整、再撮影を繰り返すようにしても良い。続いて、ステップＳ１０９に進む。
【００９６】
ステップＳ１０９は、映像表示装置２００に対し、第1の画像（テスト画像）３００の表示を終了指示するステップである。続いて、ステップＳ１１０に進む。
【００９７】
ステップＳ１１０は、上記算出された画質調整情報を、映像表示装置２００に向け出力するステップである。すなわち、映像表示装置２００に画質調整要求を行なう。続いて、ステップＳ１１１に進む。
【００９８】
ステップＳ１１１は、終了ステップであり、ここでの処理は終了する。
【００９９】
図６は、実施形態に係わる映像表示装置（ＴＶ）の動作を説明するフローチャートである。
【０１００】
ステップＳ２００は、ここでの開始ステップである。続いて、ステップＳ２０１に進む。
【０１０１】
ステップＳ２０１は、上記電子機器（タブレット）１００から送信された処理要求（指示）を受信するステップである。続いて、ステップＳ２０２に進む。
【０１０２】
ステップＳ２０２は、電子機器（タブレット）１００から映像表示装置（ＴＶ）への要求が、映像表示装置（ＴＶ）動作状態取得であるのかを受信情報から判断し、映像表示装置（ＴＶ）動作状態取得要求であった場合には、ＹＥＳ、異なる要求であった場合にはＮＯに進むステップである。
【０１０３】
ステップＳ２０３は、映像表示装置２００が自身の動作状態情報を取得するステップである。続いて、ステップＳ２０４に進む。
【０１０４】
ステップＳ２０４は、映像表示装置２００で取得された動作状態情報を電子機器（タブレット）１００に送信するステップである。続いて、ステップＳ２１２に進む。
【０１０５】
ステップＳ２０５は、映像表示装置２００が第1の画像（テスト画像）の表示設定指示を受信したかを判別するステップである。第1の画像（テスト画像）の表示設定指示を受信したと判別される場合は、ステップＳ２０６に進む（Ｙｅｓ）。第1の画像（テスト画像）の表示設定指示を受信したと判別されない場合は、ステップＳ２０７に進む（Ｎｏ）。
【０１０６】
ステップＳ２０６は、動作状態の変更、すなわち、第1の画像（テスト画像）の表示を設定するステップである。このステップは、テスト画像表示用の画質設定をする処理である。テスト画像表示時の条件をそろえるために、画質設定を予め決めておいた値にする。続いて、ステップＳ２１２に進む。
【０１０７】
ステップＳ２０７は、第1の画像（テスト画像）の表示指示を受信したかを判別するステップである。第1の画像（テスト画像）の表示指示を受信したと判別される場合は、ステップＳ２０８に進む（Ｙｅｓ）。第1の画像（テスト画像）の表示指示を受信しないと判別される場合は、ステップＳ２１０に進む（Ｎｏ）。
【０１０８】
ステップＳ２０８は、第1の画像（テスト画像）を受信するステップである。この実施形態においては、上記のように、第1の画像（テスト画像３００）は、映像表示装置（ＴＶ）２００に記憶するように構成しても良いし、複数の映像表示装置に対応できるように、電子機器（タブレットＰＣ）１００に複数の第1の画像（テスト画像）を記憶するように構成しても良い。
【０１０９】
あるいは、複数の映像表示装置に対応できるように、クラウドサーバ２７に複数の第1の画像（テスト画像）を記憶するように構成しても良い。
【０１１０】
そして、ここでは、上記映像表示装置（ＴＶ）２００や電子機器（タブレットＰＣ）１００、クラウドサーバ２７等に記憶された第1の画像（テスト画像）が映像表示装置（ＴＶ）２００で受信される。続いて、ステップＳ２０９に進む。
【０１１１】
ステップＳ２０９は、この受信した第1の画像（テスト画像）を映像表示部１２に表示するステップである。続いて、ステップＳ２１２に進む。
【０１１２】
ステップＳ２１０は、電子機器（タブレットＰＣ）１００から送信され、受信した上記画質調整情報を用い、画質調整を行なうかを判別するステップである。上記画質調整情報を用い、画質調整を行なうと判別される場合は、ステップＳ２１１に進む（Ｙｅｓ）。上記画質調整情報を用いる画質調整を行なわないと判別される場合は、ステップＳ２１２に進む（Ｎｏ）。
【０１１３】
ステップＳ２１１は、映像表示装置（ＴＶ）２００が上記画質調整情報を用い、画質調整処理を実施するステップである。続いて、ステップＳ２１２に進む。
【０１１４】
ステップＳ２１２は、映像表示装置（ＴＶ）２００における処理を終了しないかを判別するステップである。処理を終了しない（処理を継続する）と判別される場合は、ステップＳ２０１に進み、上記処理を継続する（Ｙｅｓ）。処理を終了しない（処理を継続する）と判別されない場合は、ステップＳ２１３に進む（Ｎｏ）。
【０１１５】
ステップＳ２１３は、終了ステップであり、ここでの処理は終了する。
【０１１６】
すなわち、この実施形態においては、図１に示すように、電子機器（タブレットＰＣ）１００と映像表示装置（ＴＶ）２００は、例えば、Ｗｉ−ＬＡＮ等の無線で接続され、相互に通信可能に構成されている。
【０１１７】
そして、ここでは、例えば、ユーザが電子機器（タブレットＰＣ）１００を操作し、電子機器（タブレットＰＣ）１００から映像表示装置（ＴＶ）２００に第1の画像（例えば、テスト画像３００）を表示するように指示する。
【０１１８】
そして、ユーザは、例えば、電子機器（タブレットＰＣ）１００の撮像部３０を用い、第1の画像（例えば、テスト画像３００）が表示された映像表示装置（ＴＶ）２００を、例えば、背景と共に撮像（撮影）し、撮像画像を出力する。
【０１１９】
また、電子機器（タブレットＰＣ）１００は、出力された上記撮像画像の上記第1の画像（例えば、テスト画像３００）を用い、カメラキャリブレーションを行なう。
【０１２０】
そして、このキャリブレーション結果と上記撮像画像を用い、上記映像表示装置（ＴＶ）２００の画質調整に用いられる情報を算出する。
【０１２１】
また、電子機器（タブレットＰＣ）１００は、上記算出された画質調整情報を上記映像表示装置（ＴＶ）２００に向けて出力する。
【０１２２】
そして、映像表示装置（ＴＶ）２００は、上記算出された画質調整情報を受信し、この画質調整情報を用いて、映像表示装置（ＴＶ）２００の画質調整を行なう。
【０１２３】
すなわち、電子機器（タブレットＰＣ）１００に対し、ユーザから調整開始が指示されると、映像表示装置（ＴＶ）２００が画質調整をできる状態であるか、また、調整できる場合のベース状態を判定するために、電子機器（タブレットＰＣ）１００は、映像表示装置（ＴＶ）２００の動作状態を取得する（ステップＳ１０1）。
【０１２４】
また、調整可能かを判定する（ステップ１０２）。
【０１２５】
ここで、調整可能であった場合、カメラキャリブレーションと画像調整情報を算出するガイドとなる第1の画像（テスト画像）をＴＶ画面（映像表示部１７）に表示するよう要求する（ステップＳ１０３）。
【０１２６】
これにより、ＴＶ画面（映像表示部７）上に第1の画像（テスト画像）が表示された後、カメラ撮影機能を開始し、端末画面上に撮影プレビューを表示する（Ｓ１０５）。
【０１２７】
ユーザはこの撮影プレビューを見ながら、ＴＶ視聴時の視界と同様になる状態で背景を含むＴＶ画面を撮影する（Ｓ１０６）。
【０１２８】
撮影画像中の、ＴＶ画面（映像表示部７）内に表示されていた第1の画像（テスト画像）を用いてカメラキャリブレーションが行われる（Ｓ１０７）。
【０１２９】
その結果と撮影画像を用いて画質調整のための情報が算出される（Ｓ１０８）。
【０１３０】
そして、例えば、画質調整情報が算出されたら、映像表示装置（ＴＶ）２００に第1の画像（テスト画像）表示を終了させる（ステップＳ１０９）。
【０１３１】
また、映像表示装置（ＴＶ）２００に画質調整可能な状態に遷移するよう要求し、完了したら、上記算出された画質調整情報を用いて画質調整を行うよう、画質調整情報の送信と調整開始の要求をする（Ｓ１１０）。
【０１３２】
上記のように構成することにより、この実施形態においては、例えば、スマートフォンやタブレットＰＣ等の、例えば、ディスプレイ２１７とカメラ３０を備えた電子機器（タブレットＰＣ）１００で、映像表示装置（ＴＶ）２００等の画像表示装置への第1の画像（テスト画像）の表示が自動的に行われるとともに、映像表示装置（ＴＶ）２００の設置環境情報を、ユーザの視聴状態に近い状態で取得することが可能になる。
【０１３３】
また、上記のように、ユーザは平易な操作で、映像表示装置（ＴＶ）２００の設置環境に合わせ、画像表示を好適に設定することが可能になる。
【０１３４】
すなわち、この実施形態に係る電子機器１００は、第1の画像（例えば、テスト画像３００）が表示された映像表示装置２００を撮像し、撮像画像を出力する撮像部（カメラ）３０を備える。
【０１３５】
また、上記出力された撮像画像の上記第1の画像（例えば、テスト画像３００）を用い、カメラキャリブレーションを行なうキャリブレーション部を備える。
【０１３６】
また、上記キャリブレーション結果と上記撮像画像を用い、上記映像表示装置２００の画質調整に用いられる情報を算出する算出部を備える。
【０１３７】
また、上記算出された画質調整情報を上記映像表示装置２００に向けて出力する出力部を備える。
【０１３８】
また、上記第1の画像（例えば、テスト画像３００）の表示を上記映像表示装置２００に向けて指示する指示部を備える。
【０１３９】
また、上第1の画像（例えば、テスト画像３００）が表示された映像表示装置２００の撮像のプレビュー（図１）が可能な表示部２１７を備える。
【０１４０】
また、上記撮像部３０は上記表示部２１７の裏面に設けられる（図１）。
【０１４１】
また、上記第1の画像はテスト画像である。
【０１４２】
また、映像表示装置２００は、電子機器（タブレットＰＣ）１００から出力された画質調整情報を受信し、画質調整を行なう。
【０１４３】
これにより、この実施形態においては、ユーザは、上記のように、視聴環境を撮影することで、視聴環境に応じた画質調整が実行される。
【０１４４】
また、カメラキャリブレーションは、例えば、電子機器（タブレットＰＣ）１００で自動的に行なわれるため、ユーザはこのための特別の操作を省略することが可能になる。
【０１４５】
また、ユーザは、撮影プレビュー（図１）を見ながら視聴環境を画像として取得することができ、ユーザの視聴時の視界に近い、視聴環境情報を取得することが可能になる。
【０１４６】
上記のように構成することによって、この実施の形態においては、映像表示装置において、ユーザの視聴環境により近づいた画質調整を行うことが可能になる。
【０１４７】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１４８】
なお、上記実施形態は、記述そのものに限定されるものではなく、実施段階では、その趣旨を逸脱しない範囲で、構成要素を種々変形して具体化することが可能である。
【０１４９】
また、上記実施形態に開示されている複数の構成要素の適宜な組み合せにより種々の発明を形成できる。
【０１５０】
例えば、実施形態に示される全構成要素から幾つかの構成要素を削除してもよい。更に、異なる実施形態に亘る構成要素を適宜組み合せてもよい。
【符号の説明】
【０１５１】
２６…インターネット、２７…サーバ（クラウド）、３０…撮像部（カメラ）、１００…電子機器（タブレットＰＣ）、２００…映像表示装置、２１７…映像表示部（ＬＣＤ）、３００…第１の画像（テスト画像）。
【図１】
2013243621.tif 000003
【図２】
2013243621.tif 000004
【図３】
2013243621.tif 000005
【図４】
2013243621.tif 000006
【図５】
2013243621.tif 000007
【図６】
2013243621.tif 000008
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
映像表示装置に表示された第１の画像とその第１の画像の周辺とを撮像可能な撮像部と、
前記撮像部の特性に関する情報と前記撮像部により撮像された第１の画像とその第１の画像の周辺の画像とに基づいて、前記映像表示装置の画質を調整するための情報を取得する取得部と、
前記取得された情報を前記映像表示装置へ出力する出力部を備える電子機器。
【請求項２】
前記第１の画像の表示を前記映像表示装置へ指示する指示部を備える請求項１に記載の電子機器。
【請求項３】
前記指示部は、前記第１の画像の表示画質の設定変更を前記映像表示装置へ指示する請求項２に記載の電子機器。
【請求項４】
前記撮像部により撮像される対象の第１の画像と周辺の画像とのプレビュー表示が可能な表示部を備える請求項１乃至請求項３のいずれかに記載の電子機器。
【請求項５】
前記映像表示装置の仕様に関する情報を取得する手段と、
前記取得された仕様に関する情報に応じたガイドを前記プレビュー表示と重畳させて前記表示部に表示させる手段と、
を備える請求項４に記載の電子機器。
【請求項６】
前記撮像部は前記表示部の裏面に設けられる請求項４または請求項５に記載の電子機器。
【請求項７】
前記第１の画像はテスト画像である請求項１乃至請求項６のいずれかに記載の電子機器。
【請求項８】
請求項１乃至請求項７のいずれかに記載の電子機器の前記出力部から出力された情報を受信し、画質調整を行なう映像表示装置。
【請求項９】
請求項１乃至請求項７のいずれかに記載の電子機器へ映像表示装置本体の仕様に関する情報を送信する手段を備えた映像表示装置。
【請求項１０】
請求項３乃至請求項７のいずれかに記載の電子機器が備えた前記指示部からの指示によって前記第１の画像の表示画質を設定変更する手段を備えた映像表示装置。
【請求項１１】
映像表示装置に表示された第１の画像とその第１の画像の周辺とを撮像部が撮像するステップと、
前記撮像部の特性に関する情報と前記撮像部により撮像された第１の画像とその第１の画像の周辺の画像とに基づいて、前記映像表示装置の画質を調整するための情報を取得するステップと、
前記取得された情報を前記映像表示装置へ出力するステップを備える電子機器の制御方法。
【請求項１２】
前記第１の画像の表示画質の設定変更を前記映像表示装置へ指示するステップを備える請求項１１に記載の電子機器の制御方法。
【請求項１３】
前記指示を受けた映像表示装置が前記第１の画像の表示画質を設定変更する請求項１２に記載の電子機器の制御方法。
【請求項１４】
前記映像表示装置の仕様に関する情報を前記映像表示装置が前記電子機器へ送信する請求項１１乃至請求項１３のいずれかに記載の電子機器の制御方法。
【請求項１５】
前記映像表示装置の仕様に関する情報を取得するステップと、
前記取得された仕様に関する情報に応じたガイド表示と、前記撮像部により撮像される対象の第１の画像と周辺の画像とを有するプレビュー表示と、を重畳させて表示部に表示させるステップと、
を備える請求項１１乃至請求項１４のいずれかに記載の電子機器の制御方法。
【請求項１６】
映像表示装置に表示された第１の画像とその第１の画像の周辺とを撮像部が撮像するステップと、
前記撮像部の特性に関する情報と前記撮像部により撮像された第１の画像とその第１の画像の周辺の画像とに基づいて、前記映像表示装置の画質を調整するための情報を取得するステップと、
前記取得された情報を前記映像表示装置へ出力するステップとをコンピュータに実行させるための制御プログラム。
【請求項１７】
前記第１の画像の表示画質の設定変更を前記映像表示装置へ指示するステップを備える請求項１６に記載の制御プログラム。
【請求項１８】
前記指示を受けた映像表示装置が前記第１の画像の表示画質を設定変更するステップを備える請求項１７に記載の制御プログラム。
【請求項１９】
前記映像表示装置の仕様に関する情報を前記映像表示装置が前記電子機器へ送信するステップを備える請求項１６乃至請求項１８のいずれかに記載の制御プログラム。
【請求項２０】
前記映像表示装置の仕様に関する情報を取得するステップと、
前記取得された仕様に関する情報に応じたガイド表示と、前記撮像部により撮像される対象の第１の画像と周辺の画像とを有するプレビュー表示と、を重畳させて表示部に表示させるステップと、
を備える請求項１６乃至請求項１９のいずれかに記載の制御プログラム。
【手続補正３】
【補正対象書類名】明細書
【補正対象項目名】０００１
【補正方法】変更
【補正の内容】
【０００１】
本発明の実施形態は、電子機器、電子機器の制御方法、制御プログラム、映像表示装置に関する。
【手続補正４】
【補正対象書類名】明細書
【補正対象項目名】０００９
【補正方法】変更
【補正の内容】
【０００９】
実施形態の電子機器は、映像表示装置に表示された第１の画像とその第１の画像の周辺とを撮像可能な撮像部を備える。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、前記撮像部の特性に関する情報と前記撮像部により撮像された第１の画像とその第１の画像の周辺の画像とに基づいて、前記映像表示装置の画質を調整するための情報を取得する取得部を備える。
【手続補正７】
【補正対象書類名】明細書
【補正対象項目名】００１２
【補正方法】変更
【補正の内容】
【００１２】
また、前記取得された情報を前記映像表示装置へ出力する出力部を備える。